【手続補正書】
【提出日】平成29年7月21日(2017.7.21)
【手続補正１】
【補正対象書類名】明細書
【補正対象項目名】００１０
【補正方法】変更
【補正の内容】
【００１０】
従って、本発明は、ポリマーＰの末端の１つに及び／又は骨格に結合された、式（Ｉ）：
【化１】
2016530362.tif 000001
の少なくとも１つの官能部分を有するポリマーＰであって、
＃は、末端への及び／又はポリマー骨格への結合の位置を示し；
ｋは０、１、２、３又は４であり；
ｍは０、１、２、３、４、５、６、７、８又は９であり；
Ａは、化学結合又はＣ１〜Ｃ６−アルキレン、−Ｏ−（Ｃ２〜Ｃ６アルキレン）、−Ｃ（＝Ｏ）−Ｏ−（Ｃ２〜Ｃ６アルキレン）、−ＮＲ３−（Ｃ２〜Ｃ６アルキレン）及び−Ｃ（＝Ｏ）−ＮＲ３−（Ｃ２〜Ｃ６アルキレン）（式中、Ｃ２〜Ｃ６アルキレン部分はＱに結合されている）からなる群から選択される二価の部分であり；
Ｑは、−Ｏ−、−ＮＨ−及び−Ｓ−からなる群から選択される二価の部分であり；
Ｒ１は独立して−ＯＨ、−ＣＯＯＨ、−ＣＯＯＣＨ３、−ＮＨ２、−ＮＨ（Ｃ１〜Ｃ６アルキル）、−Ｎ（Ｃ１〜Ｃ６アルキル）２、−ＮＯ２、−Ｓ（＝Ｏ）２Ｒ４、Ｃ１〜Ｃ２０アルキル、Ｃ１〜Ｃ４アルコキシ、ハロゲン、アリールオキシ、アリール及びヘテロアリールからなる群から選択され、ここでアリール、ヘテロアリール及びアリールオキシは、非置換であるか又は−ＯＨ、−ＣＯＯＨ、−ＣＯＯＣＨ３、−ＮＨ２、−ＮＨ（Ｃ１〜Ｃ６アルキル）、−Ｎ（Ｃ１〜Ｃ６アルキル）２、−ＮＯ２、−Ｓ（＝Ｏ）２Ｒ４、Ｃ１〜Ｃ４アルキル、Ｃ１〜Ｃ４アルコキシ及びハロゲンからなる群から選択される１個、２個、３個又は４個の基で置換されており；
Ｒ２は、水素、−Ｓ（＝Ｏ）２Ｒ４、Ｃ１〜Ｃ２０アルキル、Ｃ３〜Ｃ１０シクロアルキル、アリール、ヘテロアリール、アリール−Ｃ１〜Ｃ４−アルキル及びヘテロアリール−Ｃ１〜Ｃ４−アルキルからなる群から選択され、ここで最後に記載された４つの基の中でアリール及びヘテロアリールは非置換であるか又は−ＯＨ、−ＣＯＯＨ、−ＣＯＯＣＨ３、−ＮＨ２、−ＮＨ（Ｃ１〜Ｃ６アルキル）、−Ｎ（Ｃ１〜Ｃ６アルキル）２、−ＮＯ２、−Ｓ（＝Ｏ）２Ｒ４、Ｃ１〜Ｃ４アルキル、Ｃ１〜Ｃ４アルコキシ及びハロゲンからなる群から選択される１個、２個、３個又は４個の基で置換されており；
Ｘは、直鎖状Ｃ１〜Ｃ１０アルキレン、直鎖状Ｃ２〜Ｃ６アルケニレン、Ｃ４〜Ｃ７シクロアルキレン、アリーレン及びアルカリーレンからなる群から選択される二価の部分であり、ここで直鎖状Ｃ１〜Ｃ１０アルキレン、直鎖状Ｃ２〜Ｃ６アルケニレン及びＣ４〜Ｃ７シクロアルキレンは、非置換であるか又はＣ１〜Ｃ１８アルキル及びＣ１〜Ｃ１８アルケニルからなる群から選択される１個、２個、３個又は４個の基で置換され；ここでアリーレン及びアルカリーレン（ａｌｋａｒｙｌｅｎｅ）は非置換であるか又はＣ１〜Ｃ４アルキル、Ｃ１〜Ｃ４ハロアルキル、アリール、−ＣＯＯＨ、−ＣＯＯＣＨ３、−ＮＯ２及びハロゲンからなる群から選択される１個、２個、３個又は４個の基で置換され；
Ｒ３は水素、−Ｓ（＝Ｏ）２Ｒ４、Ｃ１〜Ｃ２０アルキル、Ｃ３〜Ｃ１０シクロアルキル、アリール及びヘテロアリールからなる群から選択され、ここでアリール及びヘテロアリールは、非置換であるか又は−ＯＨ、−ＣＯＯＨ、−ＣＯＯＣＨ３、−ＮＨ２、−ＮＨ（Ｃ１〜Ｃ６アルキル）、−Ｎ（Ｃ１〜Ｃ６アルキル）２、−ＮＯ２、−Ｓ（＝Ｏ）２Ｒ４、Ｃ１〜Ｃ４アルキル、Ｃ１〜Ｃ４アルコキシ及びハロゲンからなる群から選択される１個、２個、３個又は４個の基で置換され；
Ｒ４はＯＨ、−ＮＨ２、−ＮＨ（Ｃ１〜Ｃ６アルキル）、−Ｎ（Ｃ１〜Ｃ６アルキル）２、Ｃ１〜Ｃ４アルキル、Ｃ１〜Ｃ４アルコキシ、アリール及びヘテロアリールからなる群から選択され、ここでアリール及びヘテロアリールは非置換であるか又はＣ１〜Ｃ４アルキル、Ｃ１〜Ｃ４アルコキシ及びハロゲンからなる群から選択される１個、２個、３個又は４個の基で置換され；
Ｙは−ＯＨ又は一般式（Ｉ．２）
【化２】
2016530362.tif 000002
の部分から選択され、
ここで＊はカルボニル基への結合の位置を示し、＃、ｋ、ｍ、Ａ、Ｑ、Ｒ１及びＲ２は上記に定義された通りである、前記ポリマーＰに関し、更にポリマーＰの塩に関する。
【手続補正２】
【補正対象書類名】明細書
【補正対象項目名】００２４
【補正方法】変更
【補正の内容】
【００２４】
本明細書及び−Ｏ−（Ｃ２〜Ｃ６アルキレン）、−Ｃ（＝Ｏ）−Ｏ−（Ｃ２〜Ｃ６アルキレン）、−ＮＲ３−（Ｃ２〜Ｃ６アルキレン）及び−Ｃ（＝Ｏ）−ＮＲ３−（Ｃ２〜Ｃ６アルキレン）において使用される「アルキレン」（又はアルカンジイル）との用語は、それぞれの場合に、１つの水素原子が炭素骨格の任意の位置で１つの更なる結合部位によって置換され、従って二価の部分を形成する、上記で定義されたアルキル基を意味する。好ましいアルキレンは２〜６個の炭素原子、特に２〜４個の炭素原子を有する。好ましくは、二価の部分Ｃ２〜Ｃ６アルキレン又はＣ２〜Ｃ４アルキレンの２つの結合位置は、それぞれ、同じ炭素原子ではない。アルキレンの例としては、メチレン、１，２−エタンジイル（＝ＣＨ２ＣＨ２）、１，２−プロパンジイル（＝ＣＨ（ＣＨ３）ＣＨ２）、１，３−プロパンジイル（＝ＣＨ２ＣＨ２ＣＨ２）、１−メチル−１，３−プロパンジイル（＝ＣＨ（ＣＨ３）ＣＨ２ＣＨ２）、２−メチル−１，３−プロパンジイル（＝ＣＨ２ＣＨ（ＣＨ３）ＣＨ２）、１−メチル−１，２−プロパンジイル（＝Ｃ（ＣＨ３）２ＣＨ２）、１，４−ブタンジイル（＝ＣＨ２ＣＨ２ＣＨ２ＣＨ２）、２，２−ジメチル−１，３−プロパンジイル（＝ＣＨ２Ｃ（ＣＨ３）２ＣＨ２）等が挙げられる。
【手続補正３】
【補正対象書類名】明細書
【補正対象項目名】００４１
【補正方法】変更
【補正の内容】
【００４１】
特に、変数ｋ、ｍ、Ａ、Ｑ、Ｒ１、Ｒ２、Ｘ、Ｒ３及びＲ４は単独で又は組み合わせて好ましくは以下の意味を有する：
ｋは０、１又は２、特に０又は１であり；
ｍは０、１又は２、特に０又は１であり；
Ａは化学結合又は−Ｃ（＝Ｏ）−Ｏ−（Ｃ２〜Ｃ４アルキレン）及び−Ｃ（＝Ｏ）−ＮＨ−（Ｃ２−Ｃ４アルキレン）（ここで、アルキレン部分はＱに結合される）からなる群から選択される二価の部分、特に化学結合又は二価の部分−Ｃ（＝Ｏ）−Ｏ−（Ｃ２〜Ｃ４アルキレン）（ここで、アルキレン部分はＱに結合される）であり、
Ｑは−Ｏ−及び−ＮＲ３−からなる群から選択される二価の部分、特に−Ｏ−又は−ＮＨ−であり；
Ｒ１は、存在する場合、独立して−ＯＨ、−ＣＯＯＨ、−ＣＯＯＣＨ３、−ＮＨ２、−ＮＨ（Ｃ１〜Ｃ６アルキル）、−Ｎ（Ｃ１〜Ｃ６アルキル）２、−ＮＯ２、−Ｓ（＝Ｏ）２Ｒ４、Ｃ１〜Ｃ４アルキル、Ｃ１〜Ｃ４アルコキシ、ハロゲン、フェニル及びピリジルからなる群から選択され、ここで、最後の２つの基は非置換であるか又はハロゲン、Ｃ１〜Ｃ４アルキル及びＣ１〜Ｃ４アルコキシから選択される基を有し；
Ｒ２は水素、Ｃ１〜Ｃ４アルキル及びフェニルからなる群から選択され、特にＲ２は水素であり；
Ｘは、直鎖状Ｃ２〜Ｃ６アルキレン、Ｃ２−アルケニレン及び１，２−フェニレンからなる群から選択され、ここでＣ２〜Ｃ６アルキレン及びＣ２アルケニレンは非置換であるか又はＣ１〜Ｃ１８アルキル又はＣ１〜Ｃ１８アルケニル基を有し、１，２−フェニレンは非置換であるか又はＣ１〜Ｃ３アルキル、−ＣＯＯＨ及びハロゲンからなる群から選択される１個又は２個の基によって置換され、特にＸはＣ２〜Ｃ４アルキレンであり；
Ｒ３は、存在する場合、水素及びＣ１〜Ｃ４アルキルからなる群から選択され；
Ｒ４は、存在する場合、−ＮＨ２、−ＮＨ（Ｃ１〜Ｃ６アルキル）、−Ｎ（Ｃ１〜Ｃ６アルキル）２及びＣ１〜Ｃ４アルキルからなる群から選択され；
Ｙは、−ＯＨ及び一般式（Ｉ．２）
【化５】
2016530362.tif 000003
（式中、＊はカルボニル基への結合の位置を示し、＃、ｋ、ｍ、Ａ、Ｑ、Ｒ１及びＲ２は前述の意味を有し、特にＹは−ＯＨである）
の部分から選択される。
【手続補正４】
【補正対象書類名】明細書
【補正対象項目名】００７６
【補正方法】変更
【補正の内容】
【００７６】
特定の実施態様は、Ｃ−Ｃ−骨格を有するポリマーＰであって、式（Ｉ）及び（Ｉａ）における部分Ａが好ましくは、化学結合又はＣ１〜Ｃ６アルキレン、−Ｏ−（Ｃ２〜Ｃ６アルキレン）、−Ｃ（＝Ｏ）−Ｏ−（Ｃ２〜Ｃ６アルキレン）、及び−ＮＲ３−（Ｃ２〜Ｃ６アルキレン）からなる群から選択される二価の部分であり、Ｃ２〜Ｃ６アルキレン部分がＱに結合される前記ポリマーＰ、特に部分Ａが化学結合又は二価の部分−Ｃ（＝Ｏ）−Ｏ−（Ｃ２〜Ｃ６アルキレン）であり、Ｃ２〜Ｃ６アルキレン部分がＱに結合される、前記ポリマーＰに関する。
【手続補正５】
【補正対象書類名】特許請求の範囲
【補正対象項目名】全文
【補正方法】変更
【補正の内容】
【特許請求の範囲】
【請求項１】
ポリマーの末端の１つに及び／又は骨格に結合された式（Ｉ）：
【化１】
2016530362.tif 000004
［式中、
＃は末端への及び／又はポリマー骨格への結合の位置を示し；
ｋは０、１、２、３又は４であり；
ｍは０、１、２、３、４、５、６、７、８又は９であり；
Ａは化学結合又はＣ１〜Ｃ６アルキレン、−Ｏ−（Ｃ２〜Ｃ６アルキレン）、−Ｃ（＝Ｏ）−Ｏ−（Ｃ２〜Ｃ６アルキレン）、−ＮＲ３−（Ｃ２〜Ｃ６アルキレン）及び−Ｃ（＝Ｏ）−ＮＲ３−（Ｃ２〜Ｃ６アルキレン）からなる群から選択される二価の部分であり、ここでＣ２〜Ｃ６アルキレン部分はＱに結合され；
Ｑは−Ｏ−、−ＮＨ−及び−Ｓ−からなる群から選択される二価の部分であり；
Ｒ１は独立して−ＯＨ、−ＣＯＯＨ、−ＣＯＯＣＨ３、−ＮＨ２、−ＮＨ（Ｃ１〜Ｃ６アルキル）、−Ｎ（Ｃ１〜Ｃ６アルキル）２、−ＮＯ２、−Ｓ（＝Ｏ）２Ｒ４、Ｃ１〜Ｃ２０アルキル、Ｃ１〜Ｃ４アルコキシ、ハロゲン、アリールオキシ、アリール及びヘテロアリールからなる群から選択され、ここでアリール、ヘテロアリール及びアリールオキシは、非置換であるか又は−ＯＨ、−ＣＯＯＨ、−ＣＯＯＣＨ３、−ＮＨ２、−ＮＨ（Ｃ１〜Ｃ６アルキル）、−Ｎ（Ｃ１〜Ｃ６アルキル）２、−ＮＯ２、−Ｓ（＝Ｏ）２Ｒ４、Ｃ１〜Ｃ４アルキル、Ｃ１〜Ｃ４アルコキシ及びハロゲンからなる群から選択される１個、２個、３個又は４個の基で置換され；
Ｒ２は水素、−Ｓ（＝Ｏ）２Ｒ４、Ｃ１〜Ｃ２０アルキル、Ｃ３〜Ｃ１０シクロアルキル、アリール、ヘテロアリール、アリール−Ｃ１〜Ｃ４−アルキル及びヘテロアリール−Ｃ１〜Ｃ４−アルキルからなる群から選択され、ここで最後に記載された４つの基の中でアリール及びヘテロアリールは非置換であるか又は−ＯＨ、−ＣＯＯＨ、−ＣＯＯＣＨ３、−ＮＨ２、−ＮＨ（Ｃ１〜Ｃ６アルキル）、−Ｎ（Ｃ１〜Ｃ６アルキル）２、−ＮＯ２、−Ｓ（＝Ｏ）２Ｒ４、Ｃ１〜Ｃ４アルキル、Ｃ１〜Ｃ４アルコキシ及びハロゲンからなる群から選択される１個、２個、３個又は４個の基で置換され；
Ｘは直鎖状Ｃ１〜Ｃ１０アルキレン、直鎖状Ｃ２〜Ｃ６アルケニレン、Ｃ４〜Ｃ７シクロアルキレン、アリーレン及びアルカリーレンからなる群から選択される二価の部分であり、ここで直鎖状Ｃ１〜Ｃ１０アルキレン、直鎖状Ｃ２〜Ｃ６アルケニレン及びＣ４〜Ｃ７シクロアルキレンは、非置換であるか又はＣ１〜Ｃ１８アルキル及びＣ１〜Ｃ１８アルケニルからなる群から選択される１個、２個、３個又は４個の基で置換され；ここでアリーレン及びアルカリーレンは非置換であるか又はＣ１〜Ｃ４アルキル、Ｃ１〜Ｃ４ハロアルキル、アリール、−ＣＯＯＨ、−ＣＯＯＣＨ３、−ＮＯ２及びハロゲンからなる群から選択される１個、２個、３個又は４個の基で置換され；
Ｒ３は水素、−Ｓ（＝Ｏ）２Ｒ４、Ｃ１〜Ｃ２０アルキル、Ｃ３〜Ｃ１０シクロアルキル、アリール及びヘテロアリールからなる群から選択され、ここでアリール及びヘテロアリールは、非置換であるか又は−ＯＨ、−ＣＯＯＨ、−ＣＯＯＣＨ３、−ＮＨ２、−ＮＨ（Ｃ１〜Ｃ６アルキル）、−Ｎ（Ｃ１〜Ｃ６アルキル）２、−ＮＯ２、−Ｓ（＝Ｏ）２Ｒ４、Ｃ１〜Ｃ４アルキル、Ｃ１〜Ｃ４アルコキシ及びハロゲンからなる群から選択される１個、２個、３個又は４個の基で置換され；
Ｒ４はＯＨ、−ＮＨ２、−ＮＨ（Ｃ１〜Ｃ６アルキル）、−Ｎ（Ｃ１〜Ｃ６アルキル）２、Ｃ１〜Ｃ４アルキル、Ｃ１〜Ｃ４アルコキシ、アリール及びヘテロアリールからなる群から選択され、ここでアリール及びヘテロアリールは非置換であるか又はＣ１〜Ｃ４アルキル、Ｃ１〜Ｃ４アルコキシ及びハロゲンからなる群から選択される１個、２個、３個又は４個の基で置換され；
Ｙは−ＯＨ又は一般式（Ｉ．２）
【化２】
2016530362.tif 000005
（式中、＊はカルボニル基への結合の位置を示し、＃、ｋ、ｍ、Ａ、Ｑ、Ｒ１及びＲ２は上記で規定された通りである）
の部分から選択される］
の少なくとも１つの官能基を有するポリマーＰであって、
前記ポリマーＰは、ポリエステル、ポリエーテル、ポリエーテルエステル、ポリカーボネート及びＣ−Ｃ−骨格を有するポリマーからなる群から選択され、前記Ｃ−Ｃ−骨格を有するポリマーは、重合したＣ１〜Ｃ１０−アルキル（メタ）アクリレート、重合したＣ１〜Ｃ１０−アルキル−（ポリ−Ｃ２〜Ｃ４−アルキレングリコール）（メタ）アクリレート及び重合したビニル芳香族炭化水素化合物から選択される繰り返し単位Ｍ１を含む、
前記ポリマーＰ並びにそれらの塩。
【請求項２】
式（Ｉ）において、
ｋが０又は１であり；
ｍが０又は１であり；
Ａが化学結合又は−Ｃ（＝Ｏ）−Ｏ−（Ｃ２〜Ｃ４アルキレン）及び−Ｃ（＝Ｏ）−ＮＨ−（Ｃ２〜Ｃ４アルキレン）からなる群から選択される二価の部分であり、ここでアルキレン部分がＱに結合され；
Ｑが−Ｏ−及び−ＮＨ−からなる群から選択される二価の部分であり；
Ｒ１が独立して−ＯＨ、−ＣＯＯＨ、−ＣＯＯＣＨ３、−ＮＨ２、−ＮＨ（Ｃ１〜Ｃ６アルキル）、−Ｎ（Ｃ１〜Ｃ６アルキル）２、−ＮＯ２、−Ｓ（＝Ｏ）２Ｒ４、Ｃ１〜Ｃ４アルキル、Ｃ１〜Ｃ４アルコキシ、ハロゲン、フェニル及びピリジルからなる群から選択され；
Ｒ２が水素、Ｃ１〜Ｃ４アルキル及びフェニルからなる群から選択され；
Ｘが、直鎖状Ｃ２〜Ｃ６アルキレン、Ｃ２−アルケニレン及び１，２−フェニレンからなる群から選択され、ここでＣ２〜Ｃ６アルキレン及びＣ２−アルケニレンは非置換であるか又はＣ１〜Ｃ１８アルキル又はＣ１〜Ｃ１８アルケニル基を有し、１，２−フェニレンは非置換であるか又はＣ１〜Ｃ３アルキル、−ＣＯＯＨ及びハロゲンからなる群から選択される１個又は２個の基によって置換され；
Ｒ４が−ＮＨ２、−ＮＨ（Ｃ１〜Ｃ６アルキル）、−Ｎ（Ｃ１〜Ｃ６アルキル）２及びＣ１〜Ｃ４アルキルからなる群から選択され；
Ｙが−ＯＨから選択される、請求項１に記載のポリマーＰ。
【請求項３】
ｋ及びｍが両方とも０であり、Ｒ２が水素であり且つＸがＣ２〜Ｃ４−アルキレンである、請求項２に記載のポリマーＰ。
【請求項４】
ポリ−（Ｃ２〜Ｃ４−アルキレンオキシド）から選択される、請求項１から３までのいずれか１項に記載のポリマーＰ。
【請求項５】
脂肪族ポリエステルから選択される、請求項１から４までのいずれか１項に記載のポリマーＰ。
【請求項６】
脂肪族ポリエーテル−エステルから選択される、請求項１から５までのいずれか１項に記載のポリマーＰ。
【請求項７】
脂肪族ポリカーボネートから選択される、請求項１から６までのいずれか１項に記載のポリマーＰ。
【請求項８】
Ｃ−Ｃ−骨格を有し、重合したＣ１〜Ｃ１０−アルキル（メタ）アクリレート、重合したＣ１〜Ｃ１０−アルキル−（ポリ−Ｃ２〜Ｃ４−アルキレングリコール）（メタ）アクリレート及び重合したビニル芳香族炭化水素化合物から選択される繰り返し単位Ｍ１を含み、繰り返し単位Ｍ１がポリマーＰの１０〜９０質量％を構成する、請求項１から７までのいずれか１項に記載のポリマーＰ。
【請求項９】
数平均分子量が５００〜１００，０００ダルトンの範囲である、請求項１から８までのいずれか１項に記載のポリマーＰ。
【請求項１０】
３〜５００ｍｇＫＯＨ／ｇの範囲の酸価を特徴とする、請求項１から９までのいずれか１項に記載のポリマーＰ。
【請求項１１】
請求項１から１０までのいずれか１項に記載のポリマーＰの製造方法であって、
ａ）ポリマーの末端の１つに及び／又は骨格に結合された式（Ｉ．１）：
【化３】
2016530362.tif 000006
（式中、＃は末端への及び／又はポリマー骨格への結合の位置を示し且つ
Ａ、Ｑ、ｋ、ｍ、Ｒ１及びＲ２は請求項１又は２に規定された通りである）
の少なくとも１つの基を有するポリマーＰ．１を提供する工程、
ｂ）工程ａ）で得られたポリマーＰ．１と、以下の式（ＩＶ）
【化４】
2016530362.tif 000007
（式中、Ｘ’は請求項１又は２においてＸについて与えられた意味の１つを有し、Ｘ’が２個、３個、又は４個のＣＯＯＨ基を有する場合、２つのＣＯＯＨ基は無水物基を形成し得る）
の酸無水物とを更に反応させる工程
を含む、前記製造方法。
【請求項１２】
工程ａ）が、ポリマーＰ’の末端の１つに及び／又は骨格に結合された式Ａ−Ｑ−Ｈの少なくとも１つの官能部分を有するポリマーＰ’と、式（ＩＩ）、（ＩＩ’）又は（ＩＩＩ）
【化５】
2016530362.tif 000008
の化合物とを反応させることを含み、
その際、Ａ、Ｑ、ｋ、Ｒ１及びＲ２は請求項１から３までのいずれか１項に規定された通りであり、
ＲＬは水素又は１〜８個の炭素原子を有する炭化水素基であり、且つポリマーＰ’は式（Ｉ．１）の官能基を有していない、請求項１１に記載の方法。
【請求項１３】
顔料及び充填剤からなる群から選択される、微粒子固体物質と、前記微粒子固体物質が液体希釈剤に分散した、液体希釈剤とを含み、更に請求項１から１０までのいずれか１項に規定されたポリマーＰ又はそれらの塩を含む、分散液の形の液体組成物。
【請求項１４】
微粒子固体物質対ポリマーＰの質量比が、１００：１〜１：５０、特に３０：１〜１：１０の範囲である、請求項１３に記載の液体組成物。
【請求項１５】
ｉ）液体組成物の全質量を基準として、１〜７０質量％の、顔料及び充填剤からなる群から選択される、少なくとも１つの微粒子固体物質；
ｉｉ）液体組成物の全質量を基準として、０．５〜５０質量％の、請求項１から１３までのいずれか１項に規定された任意に塩の形の少なくとも１つのポリマーＰ；
ｉｉｉ）液体組成物の全質量を基準として、１０〜９８．５質量％の少なくとも１つの液体希釈剤
を含む、請求項１３又は１４に記載の液体組成物。
【請求項１６】
ミルベースの形である、請求項１３から１５までのいずれか１項に記載の液体組成物。
【請求項１７】
コーティング組成物の形である、請求項１３から１６までのいずれか１項に記載の液体組成物。
【請求項１８】
インクの形である、請求項１３から１６までのいずれか１項に記載の液体組成物。
【請求項１９】
請求項１から１０までのいずれか１項に規定されたポリマーＰ及びそれらの塩の、顔料及び充填剤からなる群から選択される微粒子固体物質のための分散剤としての使用。
【請求項２０】
請求項１９に記載のポリマーＰの、コーティング組成物、ミルベース及びインクから選択される液体組成物における顔料及び充填剤のための分散剤としての使用。
【請求項２１】
請求項１から１０までのいずれか１項に規定されたポリマーＰ及びそれらの塩の、ブロックコポリマー又はグラフトコポリマーの製造のための架橋剤としての、レオロジー改質剤としての、衝撃改質剤としての、鎖延長剤としての又は構成ブロックとしての使用。